(57)【要約】コネクタ１２は、複数のヘッダ列内に配置された複数のヘッダ接点２０を有するヘッダ１０に結合し、各ヘッダ列におけるヘッダ接点は、所定の配置に信号接点と接地接点とを有する。コネクタは、ヘッダと補完的であり、ハウジング４０と各ヘッダ列に対応するコネクタ列２７とを有する。各コネクタ列は、ハウジングに半組立として設けられてコネクタを形成し、複数のコネクタ接点２６、列ブロック３４、及び列シールド２８を有する。コネクタ列の各コネクタ接点は、ヘッダ接点に対応する。前記列ブロックは、コネクタ列における各コネクタ接点をしっかりと保持する。列シールドは、コネクタ列のコネクタ接点を隣接するコネクタ列から電気的にシールドする。
2005530324.tif 000002
【特許請求の範囲】
【請求項１】
複数のヘッダ列に配置された複数のヘッダ接点を有するヘッダに結合されるためのコネクタであって、各ヘッダ列のヘッダ接点は所定の配置に信号接点と接地接点とを有し、前記コネクタは前記ヘッダに補完的であって、ハウジングと、各ヘッダ列に対応するコネクタ列であって各コネクタ列はハウジングに設けられてコネクタを形成する半組立として構成され、複数のコネクタ接点であってコネクタ列の各コネクタ接点がヘッダ接点に対応しているコネクタ接点、コネクタ列の各コネクタ接点をしっかりと保持する列ブロック、及びコネクタ列のコネクタ接点を隣接するコネクタ列から電気的にシールドするための列シールドを有するコネクタ列とを具備するコネクタ。
【請求項２】
前記列シールドは、ほぼ平坦であり、それに対してほぼ直角に延びる少なくとも１つのクリップを有し、各クリップは前記列シールドに位置されてコネクタ列のコネクタ接点と結合し、それによって前記クリップは前記列シールドを前記コネクタ列に固定する前記請求項１記載のコネクタ。
【請求項３】
各クリップは、前記列シールドに位置されて前記ヘッダ接点の接地接点に対応するコネクタ列にコネクタ接点を結合する前記請求項２記載のコネクタ。
【請求項４】
各コネクタ接点は、柄を有し、前記列シールドは、各結合されるコネクタ接点のための1対のクリップを有し、前記対のクリップは、前記列ブロックの反対側の前記コネクタ接点の柄に結合する前記請求項２記載のコネクタ。
【請求項５】
前記列シールドは、ほぼ平坦であり、それに対してほぼ直角に突出する少なくとも１つの位置に少なくとも1つのビームを有し、各ビームは前記列シールドに位置して、少なくとも前記コネクタが前記ヘッダに結合されないときに前記コネクタ列のコネクタ接点と電気的に接触する請求項１記載のコネクタ。
【請求項６】
各ビームは、前記ヘッダ接点の前記接地接点に対応するコネクタ列のコネクタ接点と電気的に接触する列シールドに位置する前記請求項５記載のコネクタ。
【請求項７】
各ヘッダ接点は、ピン形の接点であり、各コネクタ接点は、前記コネクタが前記ヘッダと結合されるときにそれらの間に対応するピン形のヘッダ接点を受入れるための近接する端に１対のとがった先を有する音さ形接点であり、そして各ビームは、少なくとも前記コネクタが前記ヘッダに結合されないときに、前記列シールドに位置して、前記コネクタ列のコネクタ接点と電気的に接触し、前記ビームはそれによって、もし前記対応する接点が充分に広いならば、前記コネクタが前記ヘッダに結合されるときに、受入れられる対応するピン形のヘッダ接点と接触するヘッダ接点を有する前記請求項５記載のコネクタ。
【請求項８】
各ビームは、前記結合されるコネクタ接点に関してほぼ長手方向に延びる前記請求項５記載のコネクタ。
【請求項９】
各コネクタ接点は、前記コネクタが前記ヘッダに結合されるときに対応するヘッダ接点と接触するための末端部を有し、前記列シールドは、前記コネクタ列の外側コネクタ接点の外側縁間にほぼ横方向に延び、前記コネクタ接点の末端部に向かって前記コネクタ接点の近い方の端からほぼ長手方向に延び、それによって列シールドは、前記隣接するコネクタ列における対応するコネクタ接点からコネクタ列の各コネクタ信号接点をほぼ完全に物理的に分離する前記請求項１記載のコネクタ。
【請求項１０】
各コネクタ列のために、そのコネクタ接点は、前記列ブロックの部分的に埋め込まれる前記請求項１記載のコネクタ。
【請求項１１】
各コネクタ接点は、サブストレート及び前記コネクタが前記ヘッダに結合されるときに対応するヘッダ接点と接触するために反対側の近い方の末端部を有し、各コネクタ列のために、その各コネクタ接点が前記列ブロックがそのコネクタ接点の前記末端部及び近い方の端を露出するように列ブロックに埋め込まれる前記請求項１０記載のコネクタ。
【請求項１２】
各ヘッダ接点は、ピン形の接点であり、各コネクタ接点は、前記コネクタが前記ヘッダに結合されるときに、それらの間に対応するピン形のヘッダ接点を受入れるための、遠い方の端における柄と近い方の端における１対の尖った先端とを有する音さ形状の接点である前記請求項１記載のコネクタ。
【請求項１３】
各音さ形状の接点は、前記柄の向こうの末端部に、サブストレートのスルーホール内に挿入されるための柔軟性部分の１つ及びそれに接続されたワイヤを受入れるためのパッドを有する前記請求項１２記載のコネクタ。
【請求項１４】
前記コネクタが、回路サブストレートに設けられるサブストレート面と、それに結合されるときに前記コネクタが前記ヘッダの接点を受入れるヘッダ面とを有し、前記サブストレート面は前記ヘッダ面とほぼ対向している前記請求項１記載のコネクタ。
【請求項１５】
前記ハウジングは、前記コネクタの各コネクタ列に対応する列区分を有し、各列区分は前記コネクタ接点及び前記コネクタ列の列シールドのための空間を有する前記請求項１記載のコネクタ。
【請求項１６】
各コネクタ接点は、前記コネクタが前記ヘッダに結合されるときに、対応するヘッダ接点が接触されるような近接する端を有し、コネクタ列がそのようなコネクタ列のコネクタ接点の近接する端が先ず受入れられるように各列区分に挿入される前記請求項１５記載のコネクタ。
【請求項１７】
コネクタ列は、そのようなコネクタ列の前記列ブロックが前記列区分及びハウジングの外部に残されているように各列区分に挿入される前記請求項１５記載のコネクタ。
【請求項１８】
各コネクタ接点は、そのようなコネクタ接点がサブストレートに設けられるような末端部を有し、コネクタ列がそのようなコネクタ列のコネクタ接点の近接する端が前記列区分及びハウジングの外部に残されるように各列区分に挿入される前記請求項１５記載のコネクタ。
【請求項１９】
各列区分は、前記挿入されたコネクタ列の各コネクタ接点のための室と前記挿入されたコネクタ列の列シールドのための室とを規定し、各列区分内に前記ヘッダ接点の信号接点に対応するコネクタ接点のための各室は前記列シールドのための前記室から分離されており、各列区分内に前記ヘッダ接点の接地接点に対応するコネクタ接点のための各室は、前記列シールドのために前記室を開放しており、前記コネクタが前記ヘッダに結合されるときにその接地接点が前記列シールドによって接触されるようにする前記請求項１５記載のコネクタ。
【請求項２０】
各列ブロックは、１対の対向する押圧するショルダを有し、それによって前記コネクタがそのようなコネクタの列ブロックの押圧ショルダに押圧力を加えることによって基盤をなすサブストレート内にプレス嵌めされる前記請求項１記載のコネクタ。
【発明の詳細な説明】
【技術分野】
【０００１】
この発明は、結合コネクタ及びそのようなコネクタのためのシールドに結合するためのコネクタ組立に関する。特に、この発明は、コネクタ接点の列間の垂直なシールドを有する前記コネクタに関する。
【背景技術】
【０００２】
代表的な電気的相互接続システムにおいて、離脱可能に挿入可能な第１の回路基板は、第２の回路基板に設けられるヘッダ組立又はヘッダと結合されるような補完的な電気コネクタを有する。理解されるように、その第１の回路基板が、電気的コネクタとヘッダとによって、第２の回路基板に結合されるとき、さらには第１の回路基板が動作中であるときに、多数の信号が、第１の回路基板の電気コネクタ及び第２の回路基板のヘッダによって規定された導電路を通って第１の回路基板に入り、また出ていく。多くの実例において、第２の回路基板は、他のそれぞれのヘッダ及び補完的電気コネクタによってそれに結合された他の回路基板を有し、そして前述の信号が、そのような他の回路基板からもたらされ、あるいは他の回路基板に向かう。もちろん、前述した信号は、又適切な相互接続によって、第２の回路基板から離れた他の配置から始まり、又はそこに向かう。
【０００３】
いかなるコネクタ−ヘッダ結合においても、さらには特に高速度に関係するいかなる結合においても、信号ノイズ及び又はクロストークを抑制することが望ましい。１つの従来のノイズ抑制の解決においては、信号は、１対の異なる（正及び負）の信号ラインを通って伝送される。典型的に、そのような対の差動のラインにおいては、信号自身（＋Ｖ）は正のラインを伝送され、信号（−Ｖ）の否定が負のラインを伝送される。両ラインは近接して一緒に走っているので、このラインによって遭遇したいかなるノイズも両ラインに同様の形で現れる。したがって、正のライン（＋Ｖ＋ノイズ）から負のライン（−Ｖ−ノイズ）の減法（適切な回路又は他の手段）が、そのようなノイズ（（＋Ｖ＋ノイズ）−（−Ｖ＋ノイズ）＝２Ｖ）を相殺して、おそらくはそのオリジナルの信号を差動の増幅によって残す。
【０００４】
好結果ではあるが、この差動の対のノイズ抑制解決は、しかしながら、特に高周波の環境において、さらには多信号が比較的に近接して（すなわち高密度）コネクタを通過する場合には、支援を必要とする。そのような密度に基づくノイズに立ち向かうためには、コネクタは、各対の差動信号ラインを他の対毎の差動信号ラインから、そのコネクタ内で実質的に電磁的にアイソレートするシールディングを必要とする。
【発明の開示】
【発明が解決しようとする課題】
【０００５】
したがって、比較的に高密度における複数の差動信号対のような信号を有するコネクタの必要が、さらにはその信号ピンのためのシールディングを有し、その場合、そのコネクタが原理的にかつ比較的容易に製造される必要が存在する。
【課題を解決するための手段】
【０００６】
この発明は、複数のヘッダ列内に配置された複数のヘッダ接点を有するヘッダと結合するためのコネクタであって、各ヘッダ列のヘッダ接点が所定の配置に信号接点及び接地接点を有するコネクタを提供することによって前述した必要性を満たすものである。このコネクタは、ヘッダに対して補完的であり、ハウジング及び各ヘッダ列に対応するコネクタ列を有する。
【０００７】
各コネクタ列は、ハウジングに設けてコネクタを形成し、複数のコネクタ接点、列ブロック、及び列シールドを有する半組立として構成される。コネクタ列の各コネクタ接点は、ヘッダ接点に対応する。列ブロックは、コネクタ列における各コネクタ接点をしっかりと保持する。列シールドは、隣接するコネクタ列からこのコネクタ列のコネクタ接点を電気的にシールドする。
【発明を実施するための最良の形態】
【０００８】
前述の概要は、この発明の好ましい実施例についての以下の詳細な説明と同様に、添付図面と関連して読むときに、よりよく理解されよう。この発明を例証する目的のために、現時点で好ましい実施例を図に示している。しかしながら、理解されるように、この発明は示された明確な配置や装置に限定されるものではない。
【０００９】
ある種の用語が、便宜のためのみに、及び限定されるという考えなしに、以下の説明において使用される。例えば、用語「左」「右」「上方」及び「下方」は、参照がなされる図における方向を示している。同様に、用語「内側に」及び「外側に」は、それぞれ参照された対象の幾何学的中心に向かう、さらにはそれから離れる方向である。その用語は、上述の特別に言及した単語、その派生語、及び類似の意味の単語を含む。
【００１０】
詳細に図を参照して、同様な数字が、すべて同様な部分を指し示すために使用されており、図１には、平行な基板の製品又はその類のための代表的ヘッダ１０が示されている。ヘッダ１０は、ほぼ平行な方法で電気的コネクタ及びヘッダ１０を通って、第１の回路基板（図示せず）に結合される第２の回路基板（図示せず）のような他の回路サブストレートに、この発明のそれのように補完的な電気的コネクタ１２を受入れる位置における第１の回路基板のような回路サブストレートに設けられるためである。
【００１１】
理解されるように、ヘッダ１０は、ベース１６を有する絶縁覆い１４を有する。理解されるように、ヘッダ１０がサブストレートに設けられるときは、ヘッダ１０の覆い１４のベース１６は、そのサブストレートにほぼ平行である。必要ではないが一般的には、また、ヘッダ１０の覆い１４は、それに対してほぼ直角にベース１６から離れる方に延びる壁１８を有する。
【００１２】
したがって、この壁１８は、ヘッダ１０に結合する間に電気コネクタ１２が挿入される凹所を形成する。一般的に、適切な接続を確実にするように、かつ、整列誤りから生じる被害を防止するように挿入されるので、壁１８は、電気コネクタ１２を整列し、ガイドする。その壁１８は、適切な接続を確実にするように、そして偏りに備えて、電気コネクタ１２における対応する緊締要素に結合する１つ又はそれ以上の緊締要素を有する。
【００１３】
図１に示すように、ヘッダ１０は、列及び行に配置された複数の接点２０を有する（種々の接点２０が、明快の目的のためにのみ図１では省略されている）。接点２０は、信号接点及び接地接点を有し、この発明の精神及び範囲から逸脱することなく、いかなる特定の配置又は方向付けを有することもできる。異なる対の適用における１例として、各列は７つの接点２０を有し（図示されるように）、それらの接点２０は、一端から他端へ向かって、接地接点２０、第１の対の異なる信号接点２０、第２接地接点２０、第２の対の異なる信号接点２０、及び第３接地接点２０である。各信号接点２０が個々にシールドされる単一の信号の適用における他の１例として、各列は７つの接点２０を有し（図示されるように）、それらの接点２０は、一端から他端へ向かって、第１接地接点２０、第１信号接点２０、第２接地接点２０、第２信号接点２０、第３接地接点２０、第３信号接点２０、及び第４接地接点２０である。また、特定の適用によれば、各接点２０は、全く異なった信号を表わし、または列における接点１０は、任意の組合せにまとめられてもよい。
【００１４】
このように、コネクタ１２は、また戻りの通路が信号通路にごく近く隣接することが必要である複数の単一終端の信号通路を使用する構成にすることもできる。ある状況下、信号通路と実質的に異なる長さの戻りの通路が、「接地跳ね返り」として知られる条件に追加的なノイズの原因となることに注意すべきである。
【００１５】
理解されるように、各接点２０は、覆い１４のベース１６に設けられ、そのベース１６にほぼ直角の対向する方向にその両側から、ベース１６から離れるように延びている。またも理解されるように、各接点２０は、ピン形接点であり、接点２０が、壁１８の間に、かつ挿入コネクタ１２に向かって延びている。このように、ヘッダ１０は、適切な設置方法によってサブストレートのスルーホールに設けられる。また、そのヘッダ１０は、サブストレート（図示せず）に対する表面装着であってもよく、その場合に各接点２０は、ベース１６から離れてコネクタ１２のみに向かって延びる。複数のヘッダ１０が、サブストレートに直線状に設けられて複数のコネクタ１２を受入れるヘッダ組立（図示せず）を形成することができることに注意すべきである。
【００１６】
コネクタ１２は、そのコネクタ１２が回路サブストレート（図示せず）に適切に結合されるサブストレート面２２と、コネクタ１２が中に挿入されるときにヘッダ１０の接点２０を受入れるヘッダ面２４とを有する。図１、そして図２Ａ−２Ｄにおいても理解されるように、サブストレート面２２は、ヘッダ面２４とほぼ対向しており、したがってコネクタ１２は、垂直なコネクタである。
【００１７】
図１及び２Ａ−２Ｄにも示されるように、コネクタ１２は、図１のヘッダ１０に対して補完的であり、したがってヘッダ１０の列及び行に対応する列２７及び行に配置された複数の接点２６を有する（種々の接点２６が、明確化の目的のためにのみ、図１においては除外されている）。
【００１８】
図３において最もよく理解されるように、各接点２６は、この発明の１実施例において、ほぼ長手方向に延び、末端における柄２９と、コネクタ１２がそれに設けられるときにヘッダ１０の対応するピン接点２０をその間に挿入される最も近い端の１対のあごとを有する音さ形状の接点である。図示するように、あご３０は相互に向かってわずかに傾斜しており、いずれにしても、そのあごは、そのあご３０がそれらの間の挿入されたピン接点２０をしっかりと掴み、そしてそのあごが、挿入されたピン接点２０が除去されるときには相互に向かってはねかえるように弾性的に作動する。もしコネクタ１２が、サブストレートにそのスルーホール（図示せず）によって設けられるならば、各音さ形状の接点２６は、柄２９の端に、スルーホールに挿入されたときにその中に締まり嵌めを維持することができる柔軟な部分３２を有する。また、図６Ｃにおいて理解されるように、もしコネクタ１２が、取付けられたケーブル（図６Ａ）を有するならば、各音さ形状の接点２６は、柄２９の端に、ハンダ、又は絶縁移動接点等のような他の適切なメカニズムによって、それに接続されたワイヤ３３を受けることができるパッド３２を有する。そのようなワイヤ３３は、各列２７に対応するリボン（図６Ｂ）に集められ、及び又は、コネクタ１２に対応するケーブル（図６Ａ）に括られる。さらに又、前記柔軟性ある部分又はパッド３２は、ハンダの尾部又はそれと同等のもの（図示せず）によって置換えることができる。説明され、図３又は図６Ｃに図示されたように、そのような接点２６は、この発明の精神及び範囲を逸脱することのない適切な形成プロセスによって、いかなる材料によっても形成することができる。例えば、接点２６は、銅又は銅合金シートを切断したり、型押しすることができる。
【００１９】
さて図４Ａ−４Ｄを見ると、接点２６の各列２７は、それらの形成の間、コネクタ１２に設けられる半組立として構成される。特に、列２７は、接点２６と、他の接点２６、コネクタ２１、及びヘッダ１０に関して適切な位置において、列２７に各接点２６をしっかりと保持する列ブロック３４とを有する。理解されるように、接点２６は、その中に部分的に埋め込まれることによって、列ブロック３４にしっかりと保持される。したがって、接点２６は、その形成の間に、列ブロック３４とともに本来の場所に重ねて成形することができ、そしてそのような列ブロック３４は、プラスチック、ポリマー、及び又はエラストマーのような成形可能な材料から形成することができる。また、列ブロック３４は、分離してモールドすることも、それに挿入された接点２６を有することもできる。もちろん、列２７に接点２６を保持するための他の保持機構と、その保持機構を形成するための他の形成機構と、及び他の形成材料とが、この発明の精神及び範囲を逸脱しないで利用することができる。
【００２０】
図４Ｂにおいて最もよく理解されるように、形成されるような列ブロック３４は、露出し、その中に埋め込まれた接点２６のあご３０とぶつからず、そして又、露出し、柔軟な部分３２又は、その中に埋め込まれた各接点２６のシャンク２９の末端でパッド３２とぶつからない。特に、列ブロック３４は、柔軟な部分３２又はパッド３２及びあご３０の間に延び、さらに各接点２６の柄２９に対応する各接点２６の長手方向をほぼカバーする。しかしながら、列ブロック３４は又、柔軟な部分３２又はパッド３２及びあご３０のそれぞれに隣接する各接点２６の柄２９の少なくとも最小の長手方向の部分を露出しており、その目的は以下に明らかにされる。
【００２１】
この発明の一実施例において、図４Ａ−４Ｄにおいて最もよく理解されるように、コネクタ１２における接点２６の各列２７は、列シールド２８を有し、この列シールド２８の反対側の接点２６の列２７から分割されている。このように、コネクタ１２内の接点２６の各列２７は、外部ノイズ及び又は列シールド２８による接点２６の隣接する列２７からのクロストークから保護されている。さらに、もし複数のコネクタ１２が、回路基板上に一列に設けられて、前述のヘッダ組立に対応するコネクタ組立（図示せず）を形成するならば、コネクタ１２は、好ましくは隣接するコネクタ１２がその隣接するコネクタ１２の１つにおいて列シールド２８によって分割されるように配置される。
【００２２】
したがって図示するように、各列２７のために、列シールド２８が、列２７における外側接点２６の外側縁の間にほぼ横方向に延び、そして、柔軟性ある部分３２又はパッド３２及び列２７における接点２６の柄２９の接続点に対してあご３０の先端からほぼ縦方向に延びる。このように、列２７の各接点２６は、列シールド２８によって隣接する列２７における各接点２６から、もちろん柔軟性ある部分３２又はパッド３２におけるところを除いて、ほぼ完全に物理的に分離される。
【００２３】
この発明の一実施例において、形成される列シールド２８は、ほぼ平坦であるが、この列シールド２８の平坦な範囲に対してほぼ直角に延びるクリップ３６を有する。図４Ａにおいて最もよく理解されるように、そのクリップ３６は、列シールド２８の残りと全体をなすが、列２７の多様の接点２６に対してクリップするように位置する。もちろん、正しく理解されるべきことは、いかなる絶縁防壁もなしに、そのクリップ３６によって接点２８に対して列接点２８をクリップすることは、列シールド２８を接点２８に電気的に結合することである。このように、複数の接点２６に対するクリップは、それをショートする。結果として、列シールド２８は、接地接点２６のみに対してクリップされるべきである。注目すべきは、各列シールド２８は、単一の終端信号である場合における電流のための戻り通路として作用できることである。
【００２４】
この発明の一実施例において、列シールド２８がクリップされる各接点２６のために、列シールド２８は、クリップ３８の対応する対を有する。特に、図４Ｂ及び４Ｄにおいて理解されるように、クリップ３６の各対は、あご３０に隣接する列ブロック３４の一方の側に接点２６の柄２９の最小の長手方向部分に対してクリップする上部クリップ３６を有し、また、接点２６の柔軟性ある部分３２又はパッド３２に隣接する列ブロック３４の他方の側に接点２６の柄２９の最小の長手方向部分に対してクリップする下部クリップ３６を有する。このように、クリップ３６及び列シールド２８は、その列２７の列ブロック３４を跨ぐように、接点２６の列２７に取付けられる。各クリップ３６は、接点２６の柄２９をしっかりと掴むように寸法どりされる。各クリップ３６は、柄２９に取付けられ、それから、接点の列２７に関して列シールド２８を適切に位置し、それから、各クリップ３６に圧力を加えて、クリップ３６及びそれぞれの柄２９における各接点２６に対して、列シールド２８を係合する。
【００２５】
この発明の一実施例において、列シールド２８がクリップされる各接点２６のために、列シールド２８は又、そのあご３０における接点２６を電気的に係合するための対応するビーム３８を有する。図４Ｃにおいて最もよく理解されるように、ビーム３８は、片持ちされ、あご３０に向かって列シールド２８の残りのほぼ平坦な範囲から突出し、それと係合し、事実、その適切な位置における列シールド２８の曲った部分を構成する。ビーム３８は、図示するように、接点２６及びそのあご３０に関して長手方向に延び、その横方向側、及びその上部又は下部の長手方向の端において、列シールド２８の残りから分離され、そして、上部は、特に図４Ａ及び４Ｄにおいて分離されたように示されている。
【００２６】
ビーム３８は、特に、列シールド２８が又、クリップ３６によってビーム３８の接点２６と接触するのであるから、対応する接点２６との電気的係合を与えるために、絶対的には必要ない。しかしながら、重要なことは、ヘッダ１０の係合している接点２０が、そのビーム３８に対して突出し係合するには充分広いと仮定すれば、ビームは、その接点２０がその接点２６と係合するときに、コネクタ１２の接点２６に対応するヘッダ１０の接点２０と直接係合する。もし、事実上ヘッダ１０の係合する接点２０が充分広いならば、そのビーム３８と係合するその接点２０は、コネクタ１２の接点２６から離れてその湾曲を惹き起す。いずれにしても認識され得るように、ビーム２８とヘッダ１０の接点２０との間のその直接の接触は、ヘッダ１０の信号接点２０及びコネクタ１２の信号接点２６をシールディングすることで、列シールド２８の効力を増大する。
【００２７】
クリップ３６を有するそのような列シールド２８及びビーム３８は、この発明の精神と範囲から逸脱することなく、適切な成形プロセスによっていかなる適切な材料からも形成される。例えば、列シールド２８は、銅又は銅合金のシートから切断され、型押しされ、及び又は曲げられる。
【００２８】
複数の列２７によって、この場合各列２７は、図４Ａ−４Ｄにおいて理解されるように列２７の接点２６の１つ又はそれ以上に結合された列ブロック３４及び列シールド２８内に配置された接点２６を有するもので、多数の列２７が、図５Ａ−５Ｄに示されるように、ハウジング４０内に挿入されてコネクタ１２を形成する。特に、図４Ａ及び図５Ａを適切に並置することから認識することができるように、そのハウジングは、コネクタ１２及びヘッダ１０における列２７の数に対応する多数の列区分４２（６区分図示）を有し、この場合、各列区分４２は、列２７及び接点２６及びそれらの列シールド２８のための空間を有する。
【００２９】
このように各列区分４２のために、列２７は、図１において理解されるように、列ブロック３４及び柔軟性ある部分３２又はパッド３２は、列区分４２及びハウジング４０の外側に残るように、先ずその列区分４２にあご３０を挿入される。
【００３０】
挿入された列２７は、いかなる適切な機構によっても、この発明の精神及び範囲を逸脱することなく、ハウジング４０内にしっかりと挿入されてとどまることができる。例えば、各接点２６、及び又は列２７の列シールド２８は、ハウジングと締り嵌めを維持することができる。さらに、又は二者択一的に、各接点２６及び又は列２７の列シールド２８は、挿入は許すが引き込みは阻止するワンウェイあご（図示せず）を有する。
【００３１】
再度、図５Ａ−５Ｄを参照して、ハウジング４０の各列区分４２において、室４４ｓ、４４ｇは、挿入された列２７の各接点２６のために規定され、室４４ｒは、挿入された列２７の列シールド２８のために規定されていることが理解される。特に、信号接点２６のために規定される各室４４ｓは、その挿入された信号接点２６を室４４ｒにおける列２７の列シールド２８から隔離する。対照的に、接地接点２６のために規定される各室４４ｇは、その挿入された接地接点２６を室４４ｒにおける列２７の列シールド２８から隔離しない。このように認識されるから、各室４４ｇは、室４４ｒに対して開放し、その室４４ｇに挿入された接地接点２６が、室４４ｒにおける列シールド２８の対応するビーム３８によって接触される。しかしながら、各室４４ｓは、室４４ｒに対しては開放せず、したがって、その室４４ｓに挿入された信号接点２６が、室４４ｒにおける列シールド２８のいかなる部分によっても接触されることがない。
【００３２】
注目すべきは、各室４４ｓ、４４ｇは、それは信号接点２６又は接地接点２６を受入れるものであって、それぞれ、ハウジング４０の上面４６に開口を有するということである。図５Ａ−５Ｄにおいて最もよく理解されるが、その上面４６は、各列２７がそのハウジング４０に挿入される底面４８の反対側である。また、注目すべきは、その開口は、ヘッダ１０における各接点が、ハウジング４０／コネクタ１２に、さらにはコネクタ１２におけるそれぞれの接点２６と係合するように、挿入され得ることである。特に図５Ｂにおいて理解されるように、上面４６における各開口は、その開口に対して、及びそれを介してヘッダ１０のそれぞれの接点２０をガイドする傾斜面によって取り囲まれている。特に、コネクタの音さ形の接点２６に関して、各開口は、又それぞれの案内された接点２０が、そのあご３０間のそれぞれの接点２６と係合することを確実にする。
【００３３】
特に図１から認識され得るように、列２７を列区分４２に挿入するうちに、その列ブロック３４は、本質的にハウジング４０の底面４８に突き当たる。このように、コネクタ１２のハウジング４０がコネクタ１２の上部部分を形成する間に、再度少なくとも表面上では、コネクタ１２の列ブロック３４は、結合においてコネクタ１２の底部を形成する。この発明の一実施例において、そして図１、２Ｂ、４Ａ、４Ｂ及び４Ｄにおいて理解されるように、コネクタ１２の列ブロック３４は、それぞれ列２７の上方から近づきやすい１対の対向する押圧ショルダ５０をそれぞれ有する。認識されるように、もしコネクタ１２が基礎となるサブストレート（図示せず）にプレス嵌めされるべきであるならば、圧力が、そのプレス嵌めのうちに押圧ショルダ５０に加わる。
【００３４】
同様に、圧力は、ハウジング４０に対して直接供給される必要はない。
【００３５】
ハウジング４０は、この発明の精神及び範囲を逸脱することなく、あらゆる適切な形成工程によってあらゆる適切な材料からも形成されることができる。例えば、ハウジング４０は、プラスチック、ポリマー及び又はエラストマーから成形され得る。もちろん、列２７を保持するための他の保持機構、ハウジング４０を形成するための他の形成機構、及び他の形成材料が、この発明の精神及び範囲を逸脱することなく用いられる。
【００３６】
前述の説明において、この発明は、比較的高密度の複数の異なる信号対のような信号を有し、さらにはその信号ピンのためのシールディングを有し、そのコネクタは原理的にそして比較的容易に製造することができるという、新規かつ有益なコネクタ１２を有するということが理解される。その発明の概念から逸脱することなく、上述した実施例に対して変更がなされることが、当業者によって認識することができる。重要なことは、この発明は、異なる信号対に限定されることなく、あらゆるタイプの信号の種類に具体化され、高速信号、低速信号、差動信号、単一終端信号、及びその類のものに限定されずに具体化することができる。したがって、この発明は、開示された特別の実施例に限定されることなく、付属の請求項によって規定されたようなこの発明の精神及び範囲内における変更をカバーすることが意図されている。
【図面の簡単な説明】
【００３７】
【図１】明快の目的のためにそれぞれ省略された多様な接点を有するこの発明の１実施例に対応するヘッダモジュールに設けるためのヘッダモジュール及びコネクタの斜視図。
【図２Ａ】この発明の１実施例に対応する図１のコネクタの平面図。
【図２Ｂ】同じく正面図。
【図２Ｃ】同じく右側面図。
【図２Ｄ】同じく底面図。
【図３】図１及び２Ａ−２Ｄのコネクタに用いられる音さ形状の接点。
【図４Ａ】この発明の１実施例にしたがう図１及び２Ａ−２Ｄのコネクタに用いられる図３の複数のコネクタを有する列ユニットの斜視図。
【図４Ｂ】同じく背面図。
【図４Ｃ】同じく左側面図。
【図４Ｄ】同じく正面図。
【図５Ａ】図４Ａ−４Ｄの列ユニットの複数のものを受入れて、この発明の１実施例にしたがう図１及び２Ａ−２Ｄのコネクタを形成するためのハウジングの斜視図。
【図５Ｂ】同じく平面図。
【図５Ｃ】同じく正面図。
【図５Ｄ】同じく底面図。
【図６Ａ】図１及び２Ａ−２Ｄのコネクタの代わりの実施例であって、取付けられたケーブルを有するコネクタを示す斜視図。
【図６Ｂ】図６Ａのコネクタに用いられる列ユニットの斜視図。
【図６Ｃ】図６Ｂの列ユニットに用いられる音さ形状のコネクタの斜視図。
【図１】
2005530324.tif 000003
【図２Ａ】
2005530324.tif 000004
【図２Ｂ】
2005530324.tif 000005
【図２Ｃ】
2005530324.tif 000006
【図２Ｄ】
2005530324.tif 000007
【図３】
2005530324.tif 000008
【図４Ａ】
2005530324.tif 000009
【図４Ｂ】
2005530324.tif 000010
【図４Ｃ】
2005530324.tif 000011
【図４Ｄ】
2005530324.tif 000012
【図５Ａ】
2005530324.tif 000013
【図５Ｂ】
2005530324.tif 000014
【図５Ｃ】
2005530324.tif 000015
【図５Ｄ】
2005530324.tif 000016
【図６Ａ】
2005530324.tif 000017
【図６Ｂ】
2005530324.tif 000018
【図６Ｃ】
2005530324.tif 000019
【国際調査報告】
2005530324.tif 000020